【手続補正書】
【提出日】平成16年10月28日(2004.10.28)
【手続補正１】
【補正対象書類名】明細書
【補正対象項目名】全文
【補正方法】変更
【補正の内容】
【書類名】  明細書
【発明の名称】  電気掃除機
【特許請求の範囲】
【請求項１】  吸引風を発する電動送風機を内蔵する掃除機本体と、前記電動送風機の吸気上流側に設け塵埃を遠心分離する集塵ケースとを具備し、前記集塵ケースは、塵埃を遠心分離する分離室と、前記分離室に設けられ前記電動送風機の吸気側と連通する第１吸気部と、前記分離室に連通して塵埃を収容する塵埃収容室と、前記塵埃収容室に設けられ前記塵埃収容室と前記電動送風機の吸気側と連通する第２吸気部を有し、前記第１吸気部と前記電動送風機の連通と前記第２吸気部と前記電動送風機の連通をそれぞれ択一的に選択する弁と、前記弁を駆動させる電動機とを備え、前記電動機の運転動作を使用者が制御する弁制御手段を設けた電気掃除機。
【請求項２】  弁制御手段を操作しているときに、電動機を駆動させる請求項１の電気掃除機。
【請求項３】  吸引風を発する電動送風機を内蔵する掃除機本体と、前記電動送風機の吸気上流側に設け塵埃を遠心分離する集塵ケースとを具備し、前記集塵ケースは、塵埃を遠心分離する分離室と、前記分離室に設けられ前記電動送風機の吸気側と連通する第１吸気部と、前記分離室に連通して塵埃を収容する塵埃収容室と、前記塵埃収容室に設けられ前記塵埃収容室と前記電動送風機の吸気側と連通する第２吸気部を有し、前記第１吸気部と前記電動送風機の連通と前記第２吸気部と前記電動送風機の連通をそれぞれ択一的に選択する弁と、前記弁を駆動させる電動機と、前記電動送風機の温度を検出する温度検出手段を備え、前記温度検出手段の出力に応じて、前記電動機の運転動作を制御する電気掃除機。
【請求項４】  吸引風を発する電動送風機を内蔵する掃除機本体と、前記電動送風機の吸気上流側に設け塵埃を遠心分離する集塵ケースとを具備し、前記集塵ケースは、塵埃を遠心分離する分離室と、前記分離室に設けられ前記電動送風機の吸気側と連通する第１吸気部と、前記分離室に連通して塵埃を収容する塵埃収容室と、前記塵埃収容室に設けられ前記塵埃収容室と前記電動送風機の吸気側と連通する第２吸気部を有し、前記第１吸気部と前記電動送風機の連通と前記第２吸気部と前記電動送風機の連通をそれぞれ択一的に選択する弁と、前記弁を駆動させる電動機と、前記塵埃収容室の塵埃量を検出する塵埃量検出手段を備え、前記塵埃量検出手段の出力に応じて、前記電動機の運転動作を制御する電気掃除機。
【請求項５】  塵埃量検出手段として、電流センサーを用いた請求項４の電気掃除機。
【請求項６】  塵埃量検出手段として、圧力センサーを用いた請求項４の電気掃除機。
【請求項７】  吸引風を発する電動送風機を内蔵する掃除機本体と、前記掃除機本体に連通して塵埃を吸引する吸込具と、前記電動送風機の吸気上流側に設け塵埃を遠心分離する集塵ケースとを具備し、前記集塵ケースは、塵埃を遠心分離する分離室と、前記分離室に設けられ前記電動送風機の吸気側と連通する第１吸気部と、前記分離室に連通して塵埃を収容する塵埃収容室と、前記塵埃収容室に設けられ前記塵埃収容室と前記電動送風機の吸気側と連通する第２吸気部を有し、前記第１吸気部と前記電動送風機の連通と前記第２吸気部と前記電動送風機の連通をそれぞれ択一的に選択する弁と、前記弁を駆動させる電動機と、前記吸込具から集塵ケースまでのいずれかに、吸引通路を通過するゴミ量を検出するゴミ検出手段を備え、前記ゴミ検出手段の出力に応じて、前記電動機の運転動作を制御する電気掃除機。
【請求項８】  吸引風を発する電動送風機を内蔵する掃除機本体と、前記掃除機本体に連通して塵埃を吸引する吸込具と、前記電動送風機の吸気上流側に設け塵埃を遠心分離する集塵ケースとを具備し、前記集塵ケースは、塵埃を遠心分離する分離室と、前記分離室に設けられ前記電動送風機の吸気側と連通する第１吸気部と、前記分離室に連通して塵埃を収容する塵埃収容室と、前記塵埃収容室に設けられ前記塵埃収容室と前記電動送風機の吸気側と連通する第２吸気部を有し、前記第１吸気部と前記電動送風機の連通と前記第２吸気部と前記電動送風機の連通をそれぞれ択一的に選択する弁と、前記弁を駆動させる電動機と、吸込具の被掃除面からの離床を検出する離床検出手段を備え、前記離床検出手段の出力に応じて、前記電動機の運転動作を制御する電気掃除機。
【請求項９】  吸込具から集塵ケースまでのいずれかに、吸引通路の風量を検出する風量検出手段を設けた請求項１〜８のいずれか１項に記載の電気掃除機。
【発明の詳細な説明】
【０００１】
【発明の属する技術分野】
本発明は、一般家庭に使用される電気掃除機に関するものである。
【０００２】
【従来の技術】
従来のサイクロン集塵部を有した電気掃除機は、例えば特開２０００−３４２４９２号公報に開示された電気掃除機や、特開平９−２５３０１１号公報に開示された電気掃除機のように、吸塵されてサイクロン集塵部で分離された塵埃は、サイクロン集塵部内の旋回気流の影響を受けながら、単純にその集塵部の下方に堆積していく構成のものであった。
【０００３】
【発明が解決しようとする課題】
ところがこのような電気掃除機にあっては、集塵ケース内に蓄積される塵埃は、前述の通り単純に堆積するだけの構造のため、特に繊維質や綿成分が多い塵埃の場合、吸塵した質量に対して嵩張る割合は大きくなる。質量の大きい塵埃はサイクロン集塵部内の旋回で受ける遠心力により外周側で旋回し、内周部に位置するメインフィルターを通過する吸気風量の変化（低下）は少なくなるが、繊維質の塵埃では小質量のためにサイクロン集塵部内での遠心分離効果が不十分となり、メインフィルター部の表面に繊維質の塵埃が吸着して吸込風量が低下しやすく、比較的小質量の塵埃の吸引で早期に吸込性能が低下するという問題があった。
【０００４】
さらに、所定の塵埃量を集塵ケース内に蓄積しようとすると、大容量の集塵ケースを搭載する必要が発生し、近年の電気掃除機の小型軽量化に逆行することとなっていた。
【０００５】
本発明は上記従来の課題を解決するもので、吸込具より吸引する空気の流れにより遠心分離されて塵埃収容室に収容されている塵埃を圧縮し、少量の塵埃の吸引で早期に吸込性能が低下することがないようにし、塵埃収容室内の塵埃を廃棄する頻度を少なくして、使い勝手を向上することを目的としている。
【０００６】
【課題を解決するための手段】
上記目的を達成するために本発明は、吸引風を発する電動送風機を内蔵する掃除機本体と、前記電動送風機の吸気上流側に設け塵埃を遠心分離する集塵ケースとを具備し、前記集塵ケースは、塵埃を遠心分離する分離室と、前記分離室に設けられ前記電動送風機の吸気側と連通する第１吸気部と、前記分離室に連通して塵埃を収容する塵埃収容室と、前記塵埃収容室に設けられ前記塵埃収容室と前記電動送風機の吸気側と連通する第２吸気部を有し、前記第１吸気部と前記電動送風機の連通と前記第２吸気部と前記電動送風機の連通をそれぞれ択一的に選択する弁と、前記弁を駆動させる電動機とを備え、前記電動機の運転動作を使用者が制御する弁制御手段を設けたものである。
【０００７】
これにより、吸込具より吸引する空気の流れにより遠心分離されて塵埃収容室に収容されている塵埃を圧縮することができ、少量の塵埃の吸引で早期に吸込性能が低下することがなく、塵埃収容室内の塵埃を廃棄する頻度を少なくすることができて、また、使用者が必要に応じて塵埃収容室内の塵埃を圧縮できるので使い勝手を向上することができる。
【０００８】
【発明の実施の形態】
本発明の請求項１記載の発明は、吸引風を発する電動送風機を内蔵する掃除機本体と、前記電動送風機の吸気上流側に設け塵埃を遠心分離する集塵ケースとを具備し、前記集塵ケースは、塵埃を遠心分離する分離室と、前記分離室に設けられ前記電動送風機の吸気側と連通する第１吸気部と、前記分離室に連通して塵埃を収容する塵埃収容室と、前記塵埃収容室に設けられ前記塵埃収容室と前記電動送風機の吸気側と連通する第２吸気部を有し、前記第１吸気部と前記電動送風機の連通と前記第２吸気部と前記電動送風機の連通をそれぞれ択一的に選択する弁と、前記弁を駆動させる電動機とを備え、前記電動機の運転動作を使用者が制御する弁制御手段を設けたものである。
【０００９】
これにより、吸込具より吸引する空気の流れにより遠心分離されて塵埃収容室に収容されている塵埃を圧縮することができ、少量の塵埃の吸引で早期に吸込性能が低下することがなく、塵埃収容室内の塵埃を廃棄する頻度を少なくすることができて、また、使用者が必要に応じて塵埃収容室内の塵埃を圧縮できるので使い勝手を向上することができる。
【００１０】
本発明の請求項２記載の発明は、弁制御手段を操作しているときに、電動機を駆動させるもので、使用者の誤使用による電気掃除機の誤動作を防止し易い。
【００１１】
本発明の請求項３記載の発明は、吸引風を発する電動送風機を内蔵する掃除機本体と、前記電動送風機の吸気上流側に設け塵埃を遠心分離する集塵ケースとを具備し、前記集塵ケースは、塵埃を遠心分離する分離室と、前記分離室に設けられ前記電動送風機の吸気側と連通する第１吸気部と、前記分離室に連通して塵埃を収容する塵埃収容室と、前記塵埃収容室に設けられ前記塵埃収容室と前記電動送風機の吸気側と連通する第２吸気部を有し、前記第１吸気部と前記電動送風機の連通と前記第２吸気部と前記電動送風機の連通をそれぞれ択一的に選択する弁と、前記弁を駆動させる電動機と、前記電動送風機の温度を検出する温度検出手段を備え、前記温度検出手段の出力に応じて、前記電動機の運転動作を制御する電気掃除機で、必ず使用前に塵埃収容室内の塵埃を圧縮できるので使い勝手を向上することができる。
【００１２】
本発明の請求項４〜６記載の発明は、吸引風を発する電動送風機を内蔵する掃除機本体と、前記掃除機本体に連通して塵埃を吸引する吸込具と、前記電動送風機の吸気上流側に設け塵埃を遠心分離する集塵ケースとを具備し、前記集塵ケースは、塵埃を遠心分離する分離室と、前記分離室に設けられ前記電動送風機の吸気側と連通する第１吸気部と、前記分離室に連通して塵埃を収容する塵埃収容室と、前記塵埃収容室に設けられ前記塵埃収容室と前記電動送風機の吸気側と連通する第２吸気部を有し、前記第１吸気部と前記電動送風機の連通と前記第２吸気部と前記電動送風機の連通をそれぞれ択一的に選択する弁と、前記弁を駆動させる電動機と、前記塵埃収容室の塵埃量を検出する塵埃量検出手段を備え、前記塵埃量検出手段の出力に応じて、前記電動機の運転動作を制御する電気掃除機で、塵埃収容室内の塵埃が多いときに、塵埃収容室内の塵埃を圧縮できるので使い勝手を向上することができる。
【００１３】
本発明の請求項７記載の発明は、吸引風を発する電動送風機を内蔵する掃除機本体と、前記掃除機本体に連通して塵埃を吸引する吸込具と、前記電動送風機の吸気上流側に設け塵埃を遠心分離する集塵ケースとを具備し、前記集塵ケースは、塵埃を遠心分離する分離室と、前記分離室に設けられ前記電動送風機の吸気側と連通する第１吸気部と、前記分離室に連通して塵埃を収容する塵埃収容室と、前記塵埃収容室に設けられ前記塵埃収容室と前記電動送風機の吸気側と連通する第２吸気部を有し、前記第１吸気部と前記電動送風機の連通と前記第２吸気部と前記電動送風機の連通をそれぞれ択一的に選択する弁と、前記弁を駆動させる電動機と、前記吸込具から集塵ケースまでのいずれかに、吸引通路を通過するゴミ量を検出するゴミ検出手段を備え、前記ゴミ検出手段の出力に応じて、前記電動機の運転動作を制御する電気掃除機で、吸引通路を通過するの塵埃が多いときに、塵埃収容室内の塵埃を圧縮できるので使い勝手を向上することができる。
【００１４】
本発明の請求項８〜９記載の発明は、吸引風を発する電動送風機を内蔵する掃除機本体と、前記掃除機本体に連通して塵埃を吸引する吸込具と、前記電動送風機の吸気上流側に設け塵埃を遠心分離する集塵ケースとを具備し、前記集塵ケースは、塵埃を遠心分離する分離室と、前記分離室に設けられ前記電動送風機の吸気側と連通する第１吸気部と、前記分離室に連通して塵埃を収容する塵埃収容室と、前記塵埃収容室に設けられ前記塵埃収容室と前記電動送風機の吸気側と連通する第２吸気部を有し、前記第１吸気部と前記電動送風機の連通と前記第２吸気部と前記電動送風機の連通をそれぞれ択一的に選択する弁と、前記弁を駆動させる電動機と、吸込具の被掃除面からの離床を検出する離床検出手段を備え、前記離床検出手段の出力に応じて、前記電動機の運転動作を制御する電気掃除機で、吸込具の被掃除面から上がったときには吸引風量が増えるので、塵埃収容室内の塵埃を圧縮する効果が向上でき使い勝手を向上することができる。
【００１５】
【実施例】
以下、本発明の実施例について、図面を参照しながら説明する。
【００１６】
（実施例１）
図３に示すように、掃除機本体１は、手元ハンドル２とホース継ぎ手３付きのホース４とを介して延長管５を連結し、延長管５に取り付けた塵埃を吸引する吸込具６に連通している。また、掃除機本体１は、枢支された１個の前輪キャスター７と一対の後輪８とを備えている。
【００１７】
この掃除機本体１は、図１および図２に示すように、下本体９と上本体１０と本体カバー１１とで外郭を構成している。電動送風機１２は、吸引風を発するもので、前方を第１サポートゴム１３で支持し、後方を第２サポートゴム１４を介して第１電動機カバー１５と第２電動機カバー１６により支持して下本体９に装着し、中本体１７により固定するようにしている。
【００１８】
集塵ケース１８は、ケース本体１９とこのケース本体１９に軸２０により開閉自在に係止した蓋体２１とで構成し、蓋体ボタン２２を押すことにより蓋体２１とケース本体１９との係止が外れ、蓋体２１をケース本体１９より開くよう構成し、この集塵ケース１８を電動送風機１２の吸気上流側、すなわち下本体９の前方に形成した凹部２３に取り外し可能に装着している。
【００１９】
集塵ケース１８は、塵埃を遠心分離する分離室２４を有し、この分離室２４は略中空円筒状に形成し、図４および図５に示すように、掃除機本体１の吸気口２５に連通し分離室２４に吸気を案内する塵埃搬送室２６に第２連通口２７を介して連通するとともに、塵埃を移送する第１連通口２８を介して塵埃を蓄積する塵埃収容室２９に連通している。
【００２０】
この分離室２４に電動送風機１２の吸気側と連通する吸気フィルター（第１吸気部）３０を設け、第２連通口２７は吸気フィルター３０の近傍に形成し、第１連通口２８は分離室２４の第２連通口２７と対角の位置に形成している。また、塵埃搬送室２６の第２連通口２７に臨む位置に、図６に示すように、吸気気流を分離室２４の内壁に沿わせつつ第１連通口２８に向かわせる整流ガイド部３１を蓋体２１に形成している。また、第１連通口２８の周囲に塵埃収容室２９から分離室２４への気流の逆流を阻害する整流壁３２を形成している。
【００２１】
また、集塵ケース１８は、圧縮フィルター（第２吸気部）３３を有し、この圧縮フィルター３３は、図４に示すように、塵埃収容室２９とプレフィルター３４を介して電動送風機１２の吸気側と連通している。
【００２２】
吸気フィルター３０と電動送風機１２とを第１開口３４を有する第１吸気通路３５により連通し、圧縮フィルター３３と電動送風機１２とを第２開口３６を有する第２吸気通路３７により連通している。
【００２３】
弁３８は、第１吸気通路３５を構成する第１開口３４と、第２吸気通路３７を構成する第２開口３６とを択一的に開く手段を構成するもので、減速装置を内蔵した取付ケース３９に取り付けた電動機４０を駆動させ、通常状態では、図７の点線で示すように位置し、第２吸気通路３７を構成する第２開口３６とを閉塞し、第１吸気通路３５を構成する第１開口３４を開放しており、４４は、使用者が操作（スイッチを押す）すると、前記電動機４０を駆動させ、弁３８を図７の一点鎖線で示すように位置し、第１吸気通路３５を構成する第１開口３４を閉塞するよう構成している。
【００２４】
なお、図１および図２にて、４１は、電動送風機および電動機駆動回路を含む制御手段である制御用プリント基板、４２は制御用プリント基板４１を収納する基板取付ケースであり、４３はハンドルである。
【００２５】
上記構成において動作を説明する。掃除機本体１の吸気口２５にホース４のホース継ぎ手３を連結し、ホース４に延長管５を介して吸込具６を連結し、運転を開始すると、電動送風機１２が運転を開始する。
【００２６】
このように、第１吸気通路３５を構成する第１開口３４を閉塞し、第２吸気通路３７を構成する第２開口３６を開放した状態で電動送風機１２を運転すると、吸気口２５より流入した吸気気流は、塵埃搬送室２６を通り第２連通口２７を介して分離室２４に入り、第１連通口２８を介して塵埃収容室２９を通り、プレフィルター３４、圧縮フィルター３３を介して、第２開口３６を有する第２吸気通路３７を通って電動送風機１２に吸引される。
【００２７】
この空気の流れにより塵埃収容室２９に収容されている塵埃を圧縮することができ、特に繊維質の塵埃を大幅に圧縮することができ、少量の塵埃の吸引で早期に吸込性能が低下することがなく、塵埃収容室２９内の塵埃を廃棄する頻度を少なくすることができ、使い勝手を向上することができる。
【００２８】
電動機４０が逆転し、弁３８を逆転駆動して第１吸気通路３５を構成する第１開口３４を開放し、第２吸気通路３７を構成する第２開口３６を閉塞する。
【００２９】
この状態で電動送風機１２を使用者が設定した入力で運転する。吸込具６より吸引された塵埃を含む吸気気流は、図４および図５の矢印で示すように、吸気口２５より流入して塵埃搬送室２６を通り第２連通口２７を介して分離室２４に入る。
【００３０】
このとき、第１連通口２８は分離室２４の第２連通口２７と対角の位置に形成し、塵埃搬送室２６の第２連通口２７に臨む位置に吸気気流を分離室２４の内壁に沿わせつつ第１連通口２８に向かわせる整流ガイド部３１を形成しているので、第２連通口２７より分離室２４内に流入した塵埃を含む吸気気流は、分離室２４の内壁に沿って、第１連通口２８に向かう旋回気流を形成することができる。
【００３１】
この旋回気流により、吸気気流に含まれる塵埃に遠心力が働き、塵埃を遠心分離することができ、気流より分離した塵埃は第１連通口２８を通して塵埃収容室２９に蓄積され、塵埃を分離した清浄空気は吸気フィルター３０を通して、第１開口３４を有する第１吸気通路３５より電動送風機１２に吸引される。このとき、特に繊維質塵埃の遠心分離効果を高くすることができ、繊維質塵埃が吸気フィルター３０の表面に吸着するのを防止できて、早期に吸込性能が低下するのを防止することができ、使い勝手を向上することができる。
【００３２】
また、使用者が電動機４０により弁３８を正転駆動して第１吸気通路３５を所定時間閉塞し、第２吸気通路３７を開放するよう構成しているので、前回掃除したときに塵埃収容室２９に収容されている塵埃を圧縮することができ、少量の塵埃の吸引で早期に吸込性能が低下することがなく、掃除の途中で塵埃収容室２９内の塵埃を廃棄する必要がなく、使い勝手を向上することができる。
【００３３】
また、第１吸気通路３５を閉じている状態では、電動送風機１２を所定時間最大入力で運転するよう構成しているので、電動送風機１２を運転したときの吸込具６より吸引される風量を最大にでき、この空気の流れにより塵埃収容室２９に収容されている塵埃を大幅に圧縮することができる。
【００３４】
また、弁３８による第１開口３４の開閉は、所定方向への回転で閉塞し、逆方向への回転で開放しているので、弁３８により第１開口３４を確実に開閉することができるとともに、弁３８の移動空間を小さくできて、掃除機本体１の小型化を阻害することがなくなる。
【００３５】
（実施例２）
本発明の第２の実施例を、図９を用いて説明する。なお、上記の実施例と同一構成部品については同一符号を付して、その説明を省略する。その他の構成は、上記実施例１と同一であり省略する。
【００３６】
制御手段４１の電源電圧を検出するための電圧検知手段４６と、電動送風機１２の回転数制御を行うための回転数制御手段４５と、前記電動送風機１２を駆動させるための駆動部４９を設ける。
【００３７】
上記構成による作用は以下の通りである。
【００３８】
電源プラグ投入を検出できるようになり、電源投入後１回のみ電動送風機１２の起動時に、電動機４０を駆動させ、第２吸気通路３７を構成する第２開口３６とを閉塞し、第１吸気通路３５を構成する第１開口３４を開放しており、４４は、使用者が操作すると、前記電動機４０を駆動させ、弁３８を図７の一点鎖線で示すように位置し、第１吸気通路３５を構成する第１開口３４を閉塞するよう構成して、第１吸気通路３５を閉じている状態では、電動送風機１２を所定時間最大入力で運転するよう構成しているので、電動送風機１２を運転したときの吸込具６より吸引される風量を最大にでき、この空気の流れにより塵埃収容室２９に収容されている塵埃を大幅に圧縮することができる。
【００３９】
（実施例３）
以下、本発明の第３の実施例を、図１０を用いて説明する。なお、上記の実施例と同一構成部品については同一符号を付して、その説明を省略する。その他の構成については実施例１と同一であるため省略する。
【００４０】
電動送風機１２の温度を検出するための温度検出手段４７を設ける。
【００４１】
上記構成による作用は以下の通りである。
【００４２】
温度検出手段４７の出力にて、電動送風機１２が起動したことを検出することができ、電動送風機１２の起動時に、電動機４０を駆動させ、第２吸気通路３７を構成する第２開口３６とを閉塞し、第１吸気通路３５を構成する第１開口３４を開放しており、４４は、使用者が操作すると、前記電動機４０を駆動させ、弁３８を図７の一点鎖線で示すように位置し、第１吸気通路３５を構成する第１開口３４を閉塞するよう構成して、第１吸気通路３５を閉じている状態では、電動送風機１２を所定時間最大入力で運転するよう構成しているので、電動送風機１２を運転したときの吸込具６より吸引される風量を最大にでき、この空気の流れにより塵埃収容室２９に収容されている塵埃を大幅に圧縮することができる。
【００４３】
（実施例４）
以下、本発明の第４の実施例を、図１１を用いて説明する。なお、上記の実施例と同一構成部品については同一符号を付して、その説明を省略する。
【００４４】
塵埃収容室２９内の塵埃量を検出するための塵埃量検出手段４８を設ける。その他の構成については実施例１と同一であるため省略する。
【００４５】
上記構成による作用は以下の通りである。
【００４６】
塵埃収容室２９内の塵埃量が多くなると、電動機４０を駆動させ、第２吸気通路３７を構成する第２開口３６とを閉塞し、第１吸気通路３５を構成する第１開口３４を開放しており、４４は、使用者が操作すると、前記電動機４０を駆動させ、弁３８を図７の一点鎖線で示すように位置し、第１吸気通路３５を構成する第１開口３４を閉塞するよう構成して、第１吸気通路３５を閉じている状態では、電動送風機１２を所定時間最大入力で運転するよう構成しているので、電動送風機１２を運転したときの吸込具６より吸引される風量を最大にでき、この空気の流れにより塵埃収容室２９に収容されている塵埃を大幅に圧縮することができる。具体的には、塵埃検出手段４８として、電流センサーや圧力センサーを用いる。
【００４７】
（実施例５）
以下本発明の第５の実施例を、図１２を用いて説明する。なお、上記の実施例と同一構成部品については同一符号を付して、その説明を省略する。その他の構成については実施例１と同一であるため省略する。
【００４８】
ホース４・延長管５・吸込具６のいずれかに、吸引通路を通過するゴミ量を検出（赤外線センサーを利用）して、電気信号に変換するゴミ検出手段５０を配置する。
【００４９】
上記構成による作用は以下の通りである。
【００５０】
ホース４・延長管５・吸込具６のいずれかの吸引通路を通過するゴミ量が多いときに、電動機４０を駆動させ、第２吸気通路３７を構成する第２開口３６とを閉塞し、第１吸気通路３５を構成する第１開口３４を開放しており、４４は、使用者が操作すると、前記電動機４０を駆動させ、弁３８を図７の一点鎖線で示すように位置し、第１吸気通路３５を構成する第１開口３４を閉塞するよう構成して、第１吸気通路３５を閉じている状態では、電動送風機１２を所定時間最大入力で運転するよう構成しているので、電動送風機１２を運転したときの吸込具６より吸引される風量を最大にでき、この空気の流れにより塵埃収容室２９に収容されている塵埃を大幅に圧縮することができる。
【００５１】
（実施例６）
以下、本発明の第６の実施例を、図１３を用いて説明する。なお、上記の実施例と同一構成部品については同一符号を付して、その説明を省略する。その他の構成については実施例１と同一であるため省略する。
【００５２】
吸込具６の離床を検出するための離床検出手段５１を設ける。
【００５３】
上記構成による作用は以下の通りである。
【００５４】
吸込具６が被掃除面から上がったときに、電動機４０を駆動させ、第２吸気通路３７を構成する第２開口３６とを閉塞し、第１吸気通路３５を構成する第１開口３４を開放しており、４４は、使用者が操作すると、前記電動機４０を駆動させ、弁３８を図７の一点鎖線で示すように位置し、第１吸気通路３５を構成する第１開口３４を閉塞するよう構成して、第１吸気通路３５を閉じている状態では、電動送風機１２を所定時間最大入力で運転するよう構成しているので、電動送風機１２を運転したときの吸込具６より吸引される風量を最大にでき、この空気の流れにより塵埃収容室２９に収容されている塵埃を大幅に圧縮することができる。また、掃除機本体１・ホース４・延長管５・吸込具６・のいずれかの吸引通路に風量検出手段を設けても、吸引量が増えたときに、塵埃を大幅に圧縮することができ、同様の効果が得られる。
【００５５】
【発明の効果】
本発明によれば、吸込具より吸引する空気の流れにより遠心分離されて塵埃収容室に収容されている塵埃を圧縮し、少量の塵埃の吸引で早期に吸込性能が低下することがないようにし、塵埃収容室内の塵埃を廃棄する頻度を少なくして、使い勝手を向上した電気掃除機を提供できる。
【図面の簡単な説明】
【図１】
本発明の第１の実施例の電気掃除機の掃除機本体の分解斜視図
【図２】
同電気掃除機の掃除機本体の断面図
【図３】
同電気掃除機の斜視図
【図４】
同電気掃除機の集塵ケースの蓋体を開いた状態の一部切欠した拡大斜視図
【図５】
同電気掃除機の集塵ケースの拡大断面図
【図６】
同電気掃除機の集塵ケースのＸ−Ｘ線拡大断面図
【図７】
同電気掃除機の集塵ケースを外した状態の断面図
【図８】
同電気掃除機のブロック図
【図９】
本発明の第２の実施例を示す電気掃除機のブロック図
【図１０】
本発明の第３の実施例を示す電気掃除機のブロック図
【図１１】
本発明の第４の実施例を示す電気掃除機のブロック図
【図１２】
本発明の第５の実施例を示す電気掃除機のブロック図
【図１３】
本発明の第６の実施例を示す電気掃除機のブロック図
【符号の説明】
１  掃除機本体
６  吸込具
１２  電動送風機
１８  集塵ケース
２４  分離室
２９  塵埃収容室
３０  吸気フィルター（第１吸気部）
３３  圧縮フィルター（第２吸気部）
３５  第１吸気通路
３７  第２吸気通路
３８  弁（第１吸気通路と第２吸気通路を択一的に開く手段）
４４  弁制御手段